(57)【要約】      （修正有）【課題】従来の切断方法とは異なる方法でヒューズ素子を切断することができるヒューズ素子およびヒューズ素子の切断方法を提供する。【解決手段】所定の間隔のエアギャップ5を介して形成されたヒューズ線を構成する可動電極9,10と固定電極6と、それぞれに接続する電圧印加電極11と、先端が絶縁性で先端近傍が導電性の突起を備えた構造とする。電圧印加電極に所定の電圧を印加することで、クーロン力により可動電極と固定電極が接触し、空中放電によりヒューズ線が切断される。【選択図】図１
2015185748.tif 000002
【特許請求の範囲】
【請求項１】
可動電極となる第１の電極部と、エアギャップを介して配置された固定電極となる第２の電極部と、前記第１の電極部および前記第２の電極部それぞれに接続する電圧印加電極とを備え、前記第１の電極部あるいは前記第２の電極部の少なくともいずれか一方がヒューズ線として切断されるヒューズ素子であって、
前記第１の電極部あるいは前記第２の電極部の少なくともいずれか一方の前記エアギャップ側表面に突起部を備えており、
該突起部は、先端部が絶縁性材料からなるとともに、前記先端部近傍が前記電圧印加電極に接続する導電性材料からなり、前記第１の電極部が前記第２の電極部側に移動して前記第２の電極部に接触する際、前記先端部の絶縁性材料により対向する電極に接触し、前記先端部近傍の導電性材料は前記対向する電極に非接触状態となる形状であり、
前記第１の電極部あるいは前記第２の電極部の少なくともいずれか一方は、前記電圧印加電極に電圧が印加されて前記突起部が対向する電極に接触あるいは近接することで切断可能な形状であることを特徴とするヒューズ素子。
【請求項２】
可動電極となる第１の電極部と、エアギャップを介して配置された固定電極となる第２の電極部と、前記第１の電極部および前記第２の電極部それぞれに接続する電圧印加電極とを備え、前記第１の電極部あるいは前記第２の電極部の少なくともいずれか一方がヒューズ線として切断されるヒューズ素子であって、
前記第１の電極部あるいは前記第２の電極部の少なくともいずれか一方の前記エアギャップ側表面に突起部を備えており、
該突起部は、先端部が絶縁性材料からなるとともに、前記先端部近傍が前記電圧印加電極に接続する導電性材料からなり、前記第１の電極部が前記第２の電極部側に移動して前記第２の電極部に接触する際、前記先端部の絶縁性材料により対向する電極に接触し、前記先端部近傍の導電性材料は前記対向する電極に非接触状態となる形状であり、
前記第１の電極部あるいは前記第２の電極部の少なくともいずれか一方は、前記電圧印加電極に電圧が印加されて前記突起部が対向する電極に接触あるいは近接することで切断可能な形状であるヒューズ素子の切断方法において、
前記電圧印加電極に、前記第１の電極部が前記第２の電極部側に移動して、前記突起部が対向する電極に接触あるいは近接する電圧を印加し、前記突起部が対向する前記第２の電極部あるいは前記第１の電極部に接触あるいは近接させることで、前記第１の電極部あるいは前記第２の電極部の少なくともいずれか一方を切断することを特徴とするヒューズ素子の切断方法。
【請求項３】
請求項２記載のヒューズ素子の切断方法において、
前記切断後、前記第１の電極部と前記第２の電極部は、エアギャップを介して対向する位置に戻ることを特徴とするヒューズ素子の切断方法。
【発明の詳細な説明】
【技術分野】
【０００１】
この発明はヒューズ素子およびヒューズ素子の切断方法に関し、特にＭＥＭＳ構造のヒューズ素子およびヒューズ素子の切断方法に関する。
【背景技術】
【０００２】
ＤＲＡＭ（Dynamic Random Access Memory）、ＳＲＡＭ（Static Random Access Memory）等の半導体記憶装置では、メモリセルアレイ内のメモリセルに欠陥が検出された場合、この欠陥を冗長メモリセルアレイ内のメモリセルにより置換し、製品の歩留まりを向上させる冗長回路方式が採用されている。
【０００３】
冗長回路方式では、メモリセルのサブブロック内の所定の和のワード線、あるいは所定の和のビット線が救済のための単位（救済単位）とされ、欠陥を含むサブブロックの救済単位が、同じ大きさの冗長メモリセルアレイ内の冗長単位に置換され、製品の欠陥が解消される。
【０００４】
欠陥を持つ救済単位のアドレス情報の記憶のため、ヒューズラッチ回路が用いられるのが一般的である。具体的には、アドレス情報は、複数ビットで構成されるため、それに対応した複数のヒューズ素子を含むヒューズセットがリダンシングの単位となり、ヒューズラッチ回路から、複数本のヒューズ素子の切断／非切断状態に応じて記憶された複数ビットの１／０論理値のデータがアドレス情報として出力される。
【０００５】
ところで、ヒューズ素子の切断は、導電性膜で形成されたヒューズ線に対して外部からレーザー光線を照射したり、許容電流密度以上の電流を流して溶断する方法が一般的である。
【０００６】
またＭＥＭＳ構造のヒューズ素子の一例は、例えば特許文献１に記載されている。図４は、特許文献１に開示されているＭＥＭＳ構造のヒューズ素子の説明図である。半導体記憶装置等が形成されたシリコン基板１上に絶縁膜２を介して犠牲層３とヒューズ素子を構成する導電性膜からなるヒューズ線４が形成され（図４ａ）、犠牲層３を除去することで、中空構造５が形成される（図４ｂ）。ヒューズ線４に所定の電流が印加されると、ヒューズ線４が溶融して切断状態となる。図４に示すように、エアギャップ５によって、溶融後のヒューズ線４は、シリコン基板１に接触することがない構造となっている。
【先行技術文献】
【特許文献】
【０００７】
【特許文献１】特表２００６−５１４７８６号公報
【発明の概要】
【発明が解決しようとする課題】
【０００８】
従来のヒューズ素子の切断方法では、ヒューズ線に外部からレーザー光線を照射したり、許容電流密度以上の電流を流して溶断する方法が一般的である。これはＭＥＭＳ構造のヒューズ素子においても同様であった。そのため、レーザー光を照射するためにヒューズ線が露出させる必要があった。また切断の際、ヒューズ線の一部が飛散する領域には、半導体装置を形成することができず、半導体装置の小型化の妨げとなっていた。
【０００９】
本発明は、従来の切断方法とは異なる方法でヒューズ素子を切断することができるヒューズ素子およびヒューズ素子の切断方法を提供することを目的とする。
【課題を解決するための手段】
【００１０】
本発明は上記目的を達成するために、本願請求項１に係る発明は、可動電極となる第１の電極部と、エアギャップを介して配置された固定電極となる第２の電極部と、前記第１の電極部および前記第２の電極部それぞれに接続する電圧印加電極とを備え、前記第１の電極部あるいは前記第２の電極部の少なくともいずれか一方がヒューズ線として切断されるヒューズ素子であって、前記第１の電極部あるいは前記第２の電極部の少なくともいずれか一方の前記エアギャップ側表面に突起部を備えており、該突起部は、先端部が絶縁性材料からなるとともに、前記先端部近傍が前記電圧印加電極に接続する導電性材料からなり、前記第１の電極部が前記第２の電極部側に移動して前記第２の電極部に接触する際、前記先端部の絶縁性材料により対向する電極に接触し、前記先端部近傍の導電性材料は前記対向する電極に非接触状態となる形状であり、前記第１の電極部あるいは前記第２の電極部の少なくともいずれか一方は、前記電圧印加電極に電圧が印加されて前記突起部が対向する電極に接触あるいは近接することで切断可能な形状であることを特徴とする。
【００１１】
本願請求項２に係る発明は、可動電極となる第１の電極部と、エアギャップを介して配置された固定電極となる第２の電極部と、前記第１の電極部および前記第２の電極部それぞれに接続する電圧印加電極とを備え、前記第１の電極部あるいは前記第２の電極部の少なくともいずれか一方がヒューズ線として切断されるヒューズ素子であって、前記第１の電極部あるいは前記第２の電極部の少なくともいずれか一方の前記エアギャップ側表面に突起部を備えており、該突起部は、先端部が絶縁性材料からなるとともに、前記先端部近傍が前記電圧印加電極に接続する導電性材料からなり、前記第１の電極部が前記第２の電極部側に移動して前記第２の電極部に接触する際、前記先端部の絶縁性材料により対向する電極に接触し、前記先端部近傍の導電性材料は前記対向する電極に非接触状態となる形状であり、前記第１の電極部あるいは前記第２の電極部の少なくともいずれか一方は、前記電圧印加電極に電圧が印加されて前記突起部が対向する電極に接触あるいは近接することで切断可能な形状であるヒューズ素子の切断方法において、前記電圧印加電極に、前記第１の電極部が前記第２の電極部側に移動して、前記突起部が対向する電極に接触あるいは近接する電圧を印加し、前記突起部が対向する前記第２の電極部あるいは前記第１の電極部に接触あるいは近接させることで、前記第１の電極部あるいは前記第２の電極部の少なくともいずれか一方を切断することを特徴とする。
【００１２】
本願請求項３に係る発明は、請求項２記載のヒューズ素子の切断方法において、前記切断後、前記第１の電極部と前記第２の電極部は、エアギャップを介して対向する位置に戻ることを特徴とする。
【発明の効果】
【００１３】
本発明のヒューズ素子およびヒューズ素子の切断方法によれば、ヒューズ線となる可動電極、固定電極に電圧を印加することで、可動電極と固定電極が接触あるいは近接させ、さらに突起部の先端近傍にエネルギーが集中する構造となっているため、ヒューズ線を確実に切断することができるとともに、切断後はエアギャップを介して可動電極と固定電極が離間した構造となり、不要な接続が残らない構造とすることができる。
【００１４】
また、ヒューズ素子を構成する導電性膜からなるヒューズ線に電圧を印加することで切断できるため、外部からレーザー光線を照射するためにヒューズ線を露出する開口が不要となり、その製造工程を削減できるという利点がある。電圧印加のみによりヒューズ線を切断するため、許容電流密度以上の電流を流すための大電力が不要になるという利点もある。
【００１５】
さらに、切断時にヒューズ線の一部が飛散する範囲は、エアギャップが形成された領域内にとどまるため、周辺に形成される半導体素子との間に飛散を想定した余分な空間を設ける必要もないので、半導体装置の小型化を実現できるという利点がある。
【００１６】
さらにまた、本発明のヒューズ素子の形成工程は、通常の半導体装置の製造プロセスにエアギャップの形成工程と突起部の形成工程を追加するのみとなり、例えば半導体記憶装置の製造工程と同時に、簡便に形成できるという利点がある。
【図面の簡単な説明】
【００１７】
【図１】本発明のヒューズ素子の第１の実施例の説明図である。
【図２】本発明のヒューズ素子の第１の実施例の説明図である。
【図３】本発明のヒューズ素子の第１の実施例の説明図である。
【図４】従来のＭＥＭＳ構造のヒューズ素子の説明図である。
【発明を実施するための形態】
【００１８】
本発明のヒューズ素子は、所定の間隔のエアギャップを介して形成されたヒューズ線を構成する可動電極と固定電極とを備え、これらの電極間に電圧を印加することができる電圧印加電極を備えており、さらに先端が絶縁性材料からなる突起を備えた構造となっている。本発明のヒューズ素子の切断方法は、電圧印加電極に所定の電圧を印加することで、クーロン力により可動電極が対向する固定電極方向に移動し、２つの電極が接触あるいは近接し、可動電極あるいは固定電極の少なくともいずれか一方が切断される構成となっている。本発明のヒューズ素子およびヒューズ素子の切断方法によれば、固定電極と可動電極とが接触あるいは近接した際、切断のためのエネルギーが先端近傍部に集中する構造となるとともに、切断後はエアギャップを介して固定電極と可動電極が離間した構造となり、不要な接続が残らない構造とすることができる。
以下、本発明を実施例について詳細に説明する。
【実施例１】
【００１９】
図１は本発明のヒューズ素子の第１の実施例の説明図で、図１（ａ）は突起部が形成された部分の断面図であり、図１に楕円で囲んだ部分の拡大図を図１（ｂ）に示し、図１（ｃ）は、ヒューズ素子の切断時の説明図である。また図２は可動電極の一部平面図であり、突起部８を通る図面上下方向の断面図が図１となる。なお図２では、図１に示す電圧印加電極１１は図示を省略している。
【００２０】
図１（ａ）に示すように、半導体記憶装置等が形成されたシリコン基板１上のヒューズ素子形成予定領域に、絶縁膜２を介して固定電極６が形成されている。固定電極６はポリシリコン膜等の導電性材料からなるヒューズ線であり、後述する方法により切断可能な形状、例えば図２に示す可動電極の導電膜９と対向するほぼ同一形状の長方形とすることができる。
【００２１】
絶縁膜からなるスペーサ膜７の一部が除去されて形成されたエアーギャップ５を介して可動電極が形成されている。図１（ａ）に示すように可動電極には、突起部８が形成されている。図１において楕円で囲む突起部８の拡大図を図１（ｂ）に示す。図１（ｂ）に示すように、突起部８の先端部は可動電極の絶縁性膜１０が突出した形状であり、先端近傍部に可動電極の導電性膜９が配置する形状となっている。固定電極６と可動電極の導電性膜９には、切断工程で電圧を印加するための電圧印加電極１１が、図示しない領域でそれぞれ接続形成されている。
【００２２】
この突起部８が固定電極６に接触した状態を図１（ｃ）に示す。導電性膜からなる固定電極６に直接接触する突起部８は、可動電極の絶縁性膜１０から構成され、可動電極の導電性膜９は所定の間隔をもって固定電極６に近接する構造とするのが好ましい。これは、後述する切断方法により、固定電極６と可動電極の導電性膜９が直接接触して固定電極６が切断する構造とすると、切断により飛散した固定電極６の一部が可動電極の導電性膜９と一体となり、固定電極６と可動電極の導電性膜９とが固着してしまい、不要な接続が形成されて不完全な切断となることを防止するためである。
【００２３】
図１（ｃ）に示す固定電極６の切断は、模式的に示したものであり、固定電極６の短手方向に複数の突起部８を配列することにより、ヒューズ線となる固定電極６の長手方向の導電経路を切断することができる。
【００２４】
なお、図２に示す１２は可動電極の導電性膜９および可動電極の絶縁性膜１０の一部を除去して形成した開口部であり、後述する製造工程においてエアギャップ５を形成するためスペーサ層７の一部を除去する際に、この開口部１２を介してエッチングが行われる。
【００２５】
次に本実施例のヒューズ素子の製造方法について、図３を用いて詳細に説明する。まず、シリコン基板１を用意し、シリコン基板１表面に酸化膜からなる絶縁膜２を形成する。さらに絶縁膜２上に、例えばＣＶＤ法により導電性膜としてポリシリコン膜を積層形成し、通常のフォトリソグラフ法によりパターニングを行い、固定電極６を形成する（図３ａ）。この固定電極６は、低抵抗であることが好ましく、このシリコン基板１上に形成される半導体記憶装置で形成されるゲートポリシリコン膜を使えば、半導体プロセス工程を増やすことなく、固定電極６を形成することができる。
【００２６】
固定電極６および絶縁膜２上に、スペーサ層となる絶縁膜１３を積層形成する。その後、通常のフォトリソグラフ法により絶縁膜１３表面の一部をエッチング除去し、突起部を形成するための凹部１４を形成する（図３ｂ）。一例として絶縁膜１３の厚さは、２μｍ程度とし、凹部１４の大きさは、直径２μｍ、深さ０．５μｍ程度とする。
【００２７】
可動電極を形成するため、凹部１４を形成した絶縁膜１３上に導電性膜としてポリシリコン膜を形成し、通常のフォトリソグラフ法により所望のパターニングを行う。ここで、凹部１４表面を覆うポリシリコン膜は、凹部１４の底部から所定の間隔離間するようにエッチング除去して可動電極の導電性膜９を形成する。このように凹部１４の底部から所定の間隔離間させることで、突起部が形成された際、突起先端部に導電性膜となるポリシリコン膜が形成されない構造とすることができる。さらに可動電極を形成するため、凹部１４内を充填する絶縁性膜を形成し、可動電極の絶縁性膜１０を形成する。この可動電極の絶縁性膜１０は、突起部８の先端部を構成するとともに可動電極の導電性膜９を支持する膜となる。ここでさらに、先に形成した固定電極６と可動電極の導電膜膜９に、それぞれ接続する電圧印加電極１１を形成する（図３ｃ）。
【００２８】
その後、図２で説明した開口部１２を形成するため、可動電極の導電性膜１０および可動電極の絶縁性膜９の一部をエッチング除去し、絶縁膜１３を露出させる。開口部から絶縁膜１３の一部をエッチング除去することでエアギャップ５が形成される。その結果、図３（ｄ）に示すように、突起部８が固定電極６のエアギャップ５側に突出する構造を形成することができる。
【００２９】
次に、本発明のヒューズ素子の切断方法について説明する。固定電極６に接続する電圧印加電極１１あるいは可動電極の導電性膜に接続する電圧印加電極１１のいずれかあるいは両方の電圧印加電極１１に電圧を印加すると、クーロン力により可動電極の導電性膜９および可動電極の絶縁性膜１０が固定電極６側に移動する。所定の電圧を印加されると、可動電極に形成された突起部８の先端部に位置する可動電極の絶縁性膜１０が固定電極６に接触する。図１（ｃ）に示すように、可動電極の導電性膜９と固定電極６の間に高電界が発生すると空中放電が起こり、局所的に固定電極６を破壊して、固定電極６を飛散させ、ヒューズ線を構成する固定電極６をオープン状態にすることができる。あるいはこの空中放電により、局所的に可動電極の導電性膜９を破壊し、ヒューズ線を構成する可動電極をオープン状態にすることができる。
【００３０】
ここで、ヒューズ線の破壊は、空中放電により起こり、可動電極の導電性膜９と固定電極６は直接接触しない構造となっているため、この破壊により、両電極が再び固着して導通状態となることはない。また、空中放電により周囲に飛散する電極材料は、エアギャップ５内に留まり、周辺の半導体装置の形成領域に飛散することもない。
【００３１】
電圧印加電極１１に電圧を印加する場合には、一方を接地電位として、他方に所望の電圧を印加しても良い。また、空中放電によりヒューズ線が破壊された後、固定電極６と可動電極の絶縁性膜１０は、それぞれの膜に蓄積した電荷が放電されるため、離れてエアギャップ５を構成することになるが、電荷が完全に放出されず膜が接着した状態となったままの場合は、電圧印加電極から電荷を放出することも可能である。
【００３２】
エアギャップ５の高さ（絶縁膜１３の厚さ）、可動電極の導電性膜９および可動電極の絶縁性膜１０の応力、開口部１２の和や配置等を適宜調整することで、電圧印加電極１１に電圧を印加することにより、突起部８と固定電極６が確実に接触させることができる。
【実施例２】
【００３３】
上記第１の実施例では、突起部８を可動電極に形成した場合について説明したが、突起部８を固定電極６に形成したり、可動電極と固定電極の両方に形成してもよい。固定電極６に突起を形成する場合、一例として、図３で説明した固定電極６上に別の絶縁膜を積層形成し、この別の絶縁膜を突起部８に相当する形状にドット状に残すとともに、可動電極は導電性膜のみの形成することで、突起が可動電極に接触する場合に、接触する先端部が絶縁性膜からなり、先端部近傍には導電性膜が配置される構造を形成することができる。
【００３４】
以上本発明の実施例について説明したが、本発明は上記実施例に限定されるものではなく、ヒューズ線の太さ、厚さ等に応じて、突起の和や配置を種々変更することが可能である。
【符号の説明】
【００３５】
１：シリコン基板、２：絶縁膜、３：犠牲層、４：ヒューズ線、５：エアギャップ、６：固定電極、７：スペーサ層、８：突起部、９：可動電極の導電性膜、１０：可動電極の絶縁性膜、１１：電圧印加電極、１２：開口部、１３：絶縁膜、１４：凹部
【図１】
2015185748.tif 000003
【図２】
2015185748.tif 000004
【図３】
2015185748.tif 000005
【図４】
2015185748.tif 000006